(57)【要約】【課題】安価で、使用中に滑り落ちるおそれがなく、使用後の尿の保存も良好で、女性用としても好適な排尿袋を提供する。【解決手段】熱融着性合成樹脂フィルム２と非熱融着性合成樹脂フィルム３とをラミネートした合成樹脂フィルム４を、熱融着性合成樹脂フィルム２の面同士を互いに対面させ、所定の上下幅の上辺部５をそれぞれ内側に折り返し該折り返した上辺部５の非熱融着性合成樹脂フィルム３の面同士を互いに対面させ、折り返した上辺部５の左右縁部を一部切欠き、折り返した上辺部５の下方の内面に左右方向に延びるチャック９を備え、少なくとも左右辺の周縁部を熱融着して袋状の収容袋７を形成し、折り返した上辺部５，５間を受け口８となす。【選択図】図１
2018069062.tif 000002
【特許請求の範囲】
【請求項１】
熱融着性合成樹脂フィルムと非熱融着性合成樹脂フィルムとをラミネートした合成樹脂フィルムを、熱融着性合成樹脂フィルムの面同士を互いに対面させ、所定の上下幅の上辺部をそれぞれ内側に折り返し該折り返した上辺部の非熱融着性合成樹脂フィルムの面同士を互いに対面させ、前記折り返した上辺部の左右縁部を一部切欠き、前記折り返した上辺部の下方の内面に左右方向に延びるチャックを備え、少なくとも左右辺の周縁部を熱融着して袋状の収容袋を形成し、前記折り返した上辺部間を受け口となしたことを特徴とする排尿袋。
【請求項２】
チャックの下方の左右縁部に手指の挿通可能な挿通孔を形成した請求項１に記載の排尿袋。
【請求項３】
折り返した上辺部の左右縁部の熱融着する上下長さを左右で異ならしめた請求項１又は２に記載の排尿袋。
【請求項４】
チャックを二重チャックとした請求項１〜３のいずれか１項に記載の排尿袋。
【請求項５】
収容袋内に凝固剤を収容した請求項１〜４のいずれか１項に記載の排尿袋。
【請求項６】
折り返した上辺部の下端縁部を左右方向に熱融着した請求項１〜５のいずれか１項に記載の排尿袋。
【請求項７】
折り返した上辺部の下端縁部を左右方向に熱融着して内部空間を形成するとともに、該内部空間に軟質の合成樹脂発泡シートを収容してなる請求項１〜５のいずれか１項に記載の排尿袋。
【請求項８】
折り返した上辺部の対向する受け口側表面に軟質の合成樹脂発泡シートを貼着してなる請求項１〜６のいずれか１項に記載の排尿袋。
【発明の詳細な説明】
【技術分野】
【０００１】
本発明は、安価で、男性用だけでなく女性用にも好適な排尿袋に関する。
【背景技術】
【０００２】
本発明者は、使用中に滑り落ちるおそれがなく、使用後の尿の保存も良好で、女性用としても好適な携帯用排尿袋を既に開発している。この携帯用排尿袋は、上部内面にチャックを備えた軟質合成樹脂フィルムからなる収容袋の上端開口部に、軟質の合成樹脂発泡シートからなり上端縁が湾曲している漏斗状の受け口を取付けてなり、前記収容袋内に高吸水剤を収容し、前記受け口を前記収容袋の上端開口部から上方に向けて拡開する如く取付けてなるものである。
【０００３】
しかし、軟質性合成樹脂フィルムからなる収容袋と軟質の合成樹脂発泡シートからなる漏斗状の受け口とは材質が異なるため、両者を高い強度で接着するためには煩雑な工程を要すること、合成樹脂発泡シートは比較的高価であること等から、コスト高となってしまう。
安価であれば、携帯用や非常用としてばかりでなく、介護用として毎日でも使用することができ、介助者の労力の軽減にもつながる。介護が必要な者でも、手指を動かすことができれば、自分で排尿ができ、介助者の手を借りる必要がなく、介助者の負担の軽減となる。比較的高価な介護用パンツを使う必要もなく、要介護者の尊厳も守られることになる。
【先行技術文献】
【特許文献】
【０００４】
【特許文献１】実用新案登録第３１９１９１３号公報
【発明の概要】
【発明が解決しようとする課題】
【０００５】
そこで、本発明は、安価で、使用中に滑り落ちるおそれがなく、使用後の尿の保存も良好で、男性用だけでなく女性用としても好適な排尿袋を提供することを目的とする。
【課題を解決するための手段】
【０００６】
上記の課題を解決するために、本発明の請求項１に係る排尿袋は、熱融着性合成樹脂フィルムと非熱融着性合成樹脂フィルムとをラミネートした合成樹脂フィルムを、熱融着性合成樹脂フィルムの面同士を互いに対面させ、所定の上下幅の上辺部をそれぞれ内側に折り返し該折り返した上辺部の非熱融着性合成樹脂フィルムの面同士を互いに対面させ、前記折り返した上辺部の左右縁部を一部切欠き、前記折り返した上辺部の下方の内面に左右方向に延びるチャックを備え、少なくとも左右辺の周縁部を熱融着して袋状の収容袋を形成し、前記折り返した上辺部間を受け口となしたこと、を特徴としている。
請求項２に係る排尿袋は、チャックの下方の左右縁部に手指の挿通可能な挿通孔を形成したものである。
請求項３に係る排尿袋は、折り返した上辺部の左右縁部の熱融着する上下長さを左右で異ならしめたものである。
請求項４に係る排尿袋は、チャックを二重チャックとしたものである。
請求項５に係る排尿袋は、収容袋内に凝固剤を収容したものである。
請求項６に係る排尿袋は、折り返した上辺部の下端縁部を左右方向に熱融着したものである。
請求項７に係る排尿袋は、折り返した上辺部の下端縁部を左右方向に熱融着して内部空間を形成するとともに、該内部空間に軟質の合成樹脂発泡シートを収容してなるものである。
請求項８に係る排尿袋は、折り返した上辺部の対向する受け口側表面に軟質の合成樹脂発泡シートを貼着してなるものである。
【発明の効果】
【０００７】
本発明に係る排尿袋は、熱融着性合成樹脂フィルムと非熱融着性合成樹脂フィルムとをラミネートした合成樹脂フィルムを、熱融着性合成樹脂フィルムの面同士を互いに対面させ、所定の上下幅の上辺部をそれぞれ内側に折り返し該折り返した上辺部の非熱融着性合成樹脂フィルムの面同士を互いに対面させ、前記折り返した上辺部の左右縁部を一部切欠き、前記折り返した上辺部の下方の内面に左右方向に延びるチャックを備え、少なくとも左右辺の周縁部を熱融着して袋状の収容袋を形成し、前記折り返した上辺部間を受け口となしたので、別部材を用いることなく構成され、加工も容易となり、大量生産も可能で安価に製造することができる。
安価なため、携帯用や非常用としてばかりでなく、介護用として毎日でも使用することができ、介助者の労力の軽減にもつながる。介護が必要な者でも、手指を動かすことができれば、自分で排尿ができ、介助者の手を借りる必要がなく、介助者の負担の軽減となる。比較的高価な介護用パンツを使う必要もなく、要介護者の尊厳も守られることになる。
請求項２に係る排尿袋は、チャックの下方の左右縁部に手指の挿通可能な挿通孔を形成したので、該挿通孔に手指を挿通して使用でき、使用中に排尿袋が落下する恐れがなくなる。
請求項３に係る排尿袋は、折り返し上辺部の左右縁部の熱融着する上下長さを左右で異ならしめたので、前と後ろで開く幅を変えて使用でき、特に女性用として使用する場合に、幅広い側を前側、幅の狭い側を後ろ側として使用することにより、排尿も容易となる。
請求項４に係る排尿袋は、チャックを二重チャックとしたので、加圧に対する強度が増す。
請求項５に係る排尿袋は、収容袋内に凝固剤を収容したので、尿がゲル化され、衛生的で扱い易くなる。また、収容袋の上部内面にチャックを備えているので、内部に収容した高吸水剤がこぼれ落ちたり空気中の水分を吸水して固まってしまうことがない。使用後、チャックを閉じれば収容袋内に収容したゲル化した尿が外部に漏れ出すおそれがない。
請求項６に係る排尿袋は、折り返した上辺部の下端縁部を左右方向に熱融着したので、排尿袋を逆さにして収容袋内に収容した排尿を受け口から排出する際、折り返し部の隙間に排尿が溜まることなく円滑に排出することができ、衛生的である。
請求項７に係る排尿袋は、折り返した上辺部の下端縁部を左右方向に熱融着して内部空間を形成するとともに、該内部空間に軟質の合成樹脂発泡シートを収容してなるので、受け口部のクッション性が高まり、ソフトな肌触りとなる。
請求項８に係る排尿袋は、折り返した上辺部の対向する受け口側表面に軟質の合成樹脂発泡シートを貼着してなるので、軟質の合成樹脂発泡シートが直接肌に触れることとなり、非常にソフトな肌触りとなって使用感に優れたものとなる。
【図面の簡単な説明】
【０００８】
【図１】本発明の第１実施例による排尿袋の正面図である。
【図２】図１のＩＩ−ＩＩ拡大断面図である。
【図３】図１のＩＩＩ−ＩＩＩ拡大断面図である。
【図４】図１のＩＶａ−ＩＶａ，ＩＶｂ−ＩＶｂ拡大断面図である。
【図５】チャック部の開閉状態を示す拡大断面図である。
【図６】上辺部の折り返し前の状態を示す斜視図である。
【図７】上辺部の折り返し後の状態を示す斜視図である。
【図８】使用状態を示す斜視図である。
【図９】本発明の第２実施例による排尿袋の正面図である。
【図１０】図９のＸ−Ｘ拡大断面図である。
【図１１】折り返し部の他の例を示す図５（ａ）相当の拡大断面図である。
【図１２】本発明の第３実施例による排尿袋の正面図である。
【図１３】図１２のＸＩＩＩ−ＸＩＩＩ拡大断面図である。
【図１４】図１１において折り返し辺の一部を切り欠いて熱融着した様子を示す拡大断面図である。
【図１５】本発明の第４実施例による排尿袋の正面図である。
【図１６】チャック部の開状態における図１５のＸＶＩ−ＸＶＩ要部拡大断面図である。
【図１７】本発明の第５実施例による排尿袋の図１６相当の断面図である。
【発明を実施するための形態】
【０００９】
以下、本発明の実施例を図面に基づいて具体的に説明する。本発明の実施例による排尿袋１は、熱融着性合成樹脂フィルム２と非熱融着性合成樹脂フィルム３とをラミネート（積層）した合成樹脂フィルム４を用いて袋状の収容袋に形成したものである。なお、図２〜図７、図１０、図１１、図１３、図１４、図１６、図１７において、熱融着性合成樹脂フィルム２の断面にはハッチングを施し、非熱融着性合成樹脂フィルム３の断面にはハッチングを略してある。
【００１０】
熱融着性合成樹脂フィルム２はヒートシール可能な合成樹脂フィルムで、その材質は、例えばポリエチレン（ＰＥ）、ポリプロピレン（ＰＰ）等が挙げられる。また、非熱融着性合成樹脂フィルム３はヒートシール困難（不可能）な合成樹脂フィルムで、その材質は、例えばポリエチレンテレフタレート（ＰＥＴ）等が挙げられるが、特に限定されるものではない。
【００１１】
熱融着性合成樹脂フィルム２と非熱融着性合成樹脂フィルム３とをラミネートした略長方形状の合成樹脂フィルム４を２枚、熱融着性合成樹脂フィルム２の面同士を互いに対面させ（図６）、所定の上下幅（Ｈ）の上辺部５を折り曲げ線６からそれぞれ内側（図６において矢印方向）に折り返して該折り返した上辺部５の非熱融着性合成樹脂フィルム３の面同士を互いに対面させ（図７）、折り返した上辺部の左右縁部を一部切欠き、上辺を除く少なくとも左右辺の周縁部を熱融着して上辺部５，５間が開口した袋状の収容袋７に形成する。そして、対面する折り返した上辺部５，５間を受け口８となしている。
【００１２】
図１及び図２に示したものは、上辺を除く左右辺及び下辺の周縁部を熱融着して袋状に形成したものであるが、図９及び図１０の第２実施例に示すように、下辺部（底辺部）を折り返し、上辺を除く左右辺の周縁部を熱融着して袋状に形成するようにしてもよい。なお、図１、図９、図１２及び図１５において、熱融着部を斜線で示した。
【００１３】
折り返した上辺部５の下方の内面には、左右方向（横幅方向）に延びるチャック９を備えており、開閉できるようになっている。チャック９は、図５に示すように、凹溝９ａに凸条９ｂを嵌合させることにより閉じ、収容袋７を密閉する。このチャック９は、凹溝９ａと凸条９ｂとの組み合わせを上下に２列配置した二重構造のチャックとなっている。
【００１４】
チャック部９の上方の折り返した上辺部５，５間が受け口８となっている。折り返し部１０の上端縁は折り返した上辺部５により折り返されているので、丸みを帯び角がない（図２、図４、図５、図７、図１０、図１３）。また、折り返し部１０は折り返されているため厚みが増すことになる。このため、肌触りがソフトになる。なお、図２、図５では１回折り返したものを示したが、図１１に示すように、２回折り返すようにすれば、折り返し部１０の厚みがさらに増し、さらにソフトな肌触りとなる。折り返す回数は２回以上とすることができる。
【００１５】
折り返した上辺部５は、非熱融着性合成樹脂フィルム３の面同士が対面しているため、そのままでは熱融着しない。そこで、図６及び図７に示すように、折り返す上辺部５の左右縁部の下部（図６では上部）を一部切欠いて（１１ａ，１１ｂ）熱融着する。これにより、折り返した上辺部５の折り返しが解かれることなく、受け口８が形成されることになる。
【００１６】
このとき、折り返した上辺部５の左右縁部の下部の熱融着する上下長さを左右で異ならしめてある。図１、図６、図７では左側を上下幅を広く切欠き（１１ａ）、右側を上下幅を狭く切欠いて（１１ｂ）熱融着してある。これにより、受け口８の左端側（左側の上縁部）は幅狭（Ｈａ）に開き（８ａ，（図４（ａ））、受け口の右端側（右側の上縁部）は幅広（Ｈｂ）に開く（８ｂ，（図４（ｂ））ことになる。前と後ろで開く幅を変えて使用でき、特に女性用として使用する場合に、幅広い側を前側、幅の狭い側を後ろ側としてあてがって使用することにより、排尿が容易となる。
【００１７】
チャック９の下方の左右縁部は幅広に熱融着してあり、その幅広部に手の指が挿通可能な挿通孔１２を形成してある。この左右の幅広の熱融着部で内部の空間部は狭まっている。これにより、排尿が下方に流下し易くなっている。
【００１８】
収容袋７内には、粉末状又は顆粒状の凝固剤（高吸水性ポリマー）１３を収容してある。凝固剤１３は、収容袋７の容量分の尿を凝固させるために必要な量を収容してある。凝固剤１３に加えて消臭剤、除菌剤、乾燥剤を混入させてもよい。なお、これら凝固剤、消臭剤、除菌剤、乾燥剤を収容しない場合もある。
【００１９】
収容袋７の上部内面（折り返し部１０の下方）にはチャック９を備えているので、内部に収容した凝固剤１３がこぼれ落ちたり空気中の水分を吸収して固まったりしてしまうことがない。また、使用後チャック９を閉じれば、収容袋７内に収容した尿が外部に漏れ出してしまうおそれがない。ここで、チャック９を二重構造のチャックとすれば加圧に対する強度が増し好ましい。
【００２０】
図１２、図１３に示す第３実施例による排尿袋１は、折り返した上辺部５の下端縁部５ａを左右方向に熱融着したものである。また、図１４は、図１１において、最初の折り返し辺の下端縁部を切断線１４に沿って切り欠いて左右方向に熱融着（５ａ）したものを示す。このようにすれば、折り返し部１０に図２に示すような隙間１５ができない。このため、排尿袋１を逆さにして収容袋７内に収容した排尿を受け口８から排出する際、折り返し部１０の隙間に排尿が溜まることなく円滑に排出することができる。
【００２１】
図１５、図１６に示す第４実施例による排尿袋１は、折り返した上辺部５の下端縁部５ａを左右方向に熱融着して内部空間１６を形成するとともに、該内部空間１６に軟質の合成樹脂発泡シート１７、例えば、厚さ２〜４ｍｍ程度のポリエチレン発泡シート１７を収容したものである。この第４実施例による排尿袋１によれば、受け口部のクッション性が高まり、ソフトな肌触りとなる。
【００２２】
図１７に示す第５実施例による排尿袋１は、折り返した上辺部５の対向する受け口側表面に軟質の合成樹脂発泡シート１７、例えば、第４実施例と同様の厚さ２〜４ｍｍ程度のポリエチレン発泡シート１７を接着剤等により貼着したものである。この第５実施例による排尿袋１によれば、使用時、軟質の合成樹脂発泡シート１７が直接肌に接するため、非常にソフトな肌触りとなり、使用感に優れたものとなり、女性用として好適である。
【００２３】
収容袋７は、８００ｍｌ以上の容量を確保できる寸法、内寸で、例えば、縦２２０ｍｍ，横１２０ｍｍ程度としてある。上辺部（受け口部８）の上下幅Ｈは４０ｍｍ程度としてある。なお、用途に応じて内容量、寸法は適宜変更可能である。本発明による排尿袋１は、女性用として好適であるが、男性用として使用することも勿論できる。
手指の挿通孔部１１で左右幅を狭く、その上方を幅広に形成して、排尿が下方に流下し易い形状となっている。
【００２４】
使用の際には、チャック９を開け、図８に示すように、挿通孔１１に親指と中指（又は人差し指）を挿通し、少し窄めて受け口８を開口させ、女性の場合、受け口８を排尿局部周辺にあてがい、排尿する。このとき、開き幅の広い側（８ｂ）（図８において右側）を前側、狭い側（８ａ）（図８において左側）を後側にしてあてがうようにすれば、円滑な排尿ができる。
挿通孔１２に親指と中指（又は人差し指）を挿通して排尿袋１を支持するので、排尿袋１を確実に保持でき、使用中に重みでずり落ちる恐れがない。
収容袋７内に流下した尿は、凝固剤１３によりゲル化する。排尿後は、収容袋７内の空気をできるだけ抜いてから、チャック９を閉じて密閉する。
【００２５】
排尿袋１（収容袋７）の表面の略全体を不透明となして内部が見えないようにし、一部上下方向に透明な視認窓（図示せず）を形成し、収容袋７に収容されている尿の量を確認できるようにするとよい。
【００２６】
本発明の第１〜第３実施例による排尿袋１は、別部材を用いることなく構成され、加工も容易となり、大量生産も可能で安価に製造することができる。
このため、携帯用や非常用としてばかりでなく、介護用として毎日でも使用することができ、介助者の労力の軽減にもつながる。介護が必要な者でも、手指を動かすことができれば、自分で排尿袋１に排尿することができ、介助者の手を借りてトイレまで行く必要がなく、介助者の負担の軽減となる。また、高価な介護用パンツを使う必要もなく、要介護者の尊厳も守られることになる。
第４実施例による排尿袋１では、軟質の合成樹脂発泡シート１７を内部空間１６に収容するだけであり、第５実施例による排尿袋１では、軟質の合成樹脂発泡シート１７を受け口側表面に接着するだけであるので、比較的安価に製造できる。
【符号の説明】
【００２７】
１  排尿袋
２  熱融着性合成樹脂フィルム
３  非熱融着性合成樹脂フィルム
４  合成樹脂フィルム
５  上辺部（折り返した上辺部）
５ａ  下端縁部（熱融着部）
６  折り曲げ線
７  収容袋
８  受け口
９  チャック
９ａ  凹溝
９ｂ  凸条
１０  折り返し部
１１ａ  熱融着部（切欠き）
１１ｂ  熱融着部（切欠き）
１２  挿通孔
１３  凝固剤
１４  切断線
１５  隙間
１６  内部空間
１７  合成樹脂発泡シート
Ｈ  折り返し部の上下幅
【図１】
2018069062.tif 000003
【図２】
2018069062.tif 000004
【図３】
2018069062.tif 000005
【図４】
2018069062.tif 000006
【図５】
2018069062.tif 000007
【図６】
2018069062.tif 000008
【図７】
2018069062.tif 000009
【図８】
2018069062.tif 000010
【図９】
2018069062.tif 000011
【図１０】
2018069062.tif 000012
【図１１】
2018069062.tif 000013
【図１２】
2018069062.tif 000014
【図１３】
2018069062.tif 000015
【図１４】
2018069062.tif 000016
【図１５】
2018069062.tif 000017
【図１６】
2018069062.tif 000018
【図１７】
2018069062.tif 000019